(57)【要約】      （修正有）【課題】処方箋に基づき調合された薬剤が処方箋の内容と合致したものであるか否かを簡易迅速に監査する薬剤監査装置を提供する。【解決手段】監査装置本体３０の前面に開口部を設け、カメラ３２による撮影時においても開口部が閉じられない構造とすることにより、被監査物（薬剤）Ｂを監査装置本体３０内部の載置板３３に載せたり、そこから取り出したりすることを容易にする。被監査物Ｂを載置板３３に載置すると計重器３４からの重量信号により自動的にカメラ３２による撮影を開始する制御手段を設けることにより迅速な監査を行う。【選択図】図２
0003186063.tif 000002
【実用新案登録請求の範囲】
【請求項１】
被監査物(薬剤)をカメラで撮影し、被監査物の重量を検出することにより被監査物の薬品名、数量等が処方箋に記載されたそれと合致しているか否かを監査する監査装置であって、監査装置本体とパソコンからなり、前記監査装置本体は、前面に開口部を有する筺体であって、筺体内部の底板上に被監査物（薬剤）を載置する載置板と、同載置板の下にあって前記載置板上に載置された被監査物の総重量を検出する計重器を具備し、筺体内側上部に照明具及びカメラを具備しており、前記パソコンは、処方箋データ及び監査処理プログラムを記憶する記憶手段と処方箋データ及び監査結果等を表示する表示手段及び制御手段を有しており、前記制御手段は、前記計重器から送信された被監査物の総重量信号を受信するとカメラの撮影を開始するよう制御することを特徴とする薬剤監査装置。
【請求項２】
前記載置板上及び前記底板上に吸光シートが付加されたことを特徴とする請求項１記載の薬剤監査装置。
【請求項３】
前記吸光シートはモスアイ型無反射フィルムまたは黒色無反射ラシャ紙であることを特徴とする請求項２記載の薬剤監査装置。
【請求項４】
前記監査装置本体は縦、横、高さが各々２５０乃至３５０ミリメートルであることを特徴とする請求項２または請求項３記載の薬剤監査装置。
【考案の詳細な説明】
【技術分野】
【０００１】
本考案は、医師が発行する処方箋等の情報に基づき調剤者によって調剤された薬剤が処方箋の内容と合致しているか否かを監査する薬剤監査装置に関するものである。
【背景技術】
【０００２】
現在では、病院の診察と薬剤の提供とは分離され、病院から発行された処方箋を調剤薬局において提出し、処方箋に記載された薬剤を受け取るようになっている。調剤薬局においては、患者が持参した処方箋を基に薬剤師が薬剤（錠剤、散剤、顆粒、細粒、シロップ、舌下剤、貼り薬、塗り薬、座薬等をいう、以下同じ）の収納体から所定の各薬剤を取り出し、調剤して患者に提供する。
しかし、処方箋の見間違い、薬剤の取り間違い等により処方箋記載の薬剤と実際に調剤された薬剤が異なることがある。これを人力のみによりチェックすることは煩雑なので、実際にピックアップされた薬剤が処方箋指定の薬剤と一致しているか否かを検査鑑定する装置が実用化されている。
【０００３】
しかし、これらのうち、バーコード等を利用するものは、バーコードの設置とその読み取りに手間がかかること、バーコード読み取り装置が必要であることからコスト面でも問題がある。
【０００４】
次に実際の薬剤をカメラで撮影し、その撮影画像を認識判別することにより薬品名等を判別して、処方箋データと比較する方法が知られている。この方法では薬剤の画像を鮮明に撮影するために、カメラと照明装置を備えた箱形の容器の中に調剤された薬剤を入れ、密閉された状態で撮影する方式が採用されている。しかし、このような方式では、薬剤を容器に挿入した後、扉を閉める等して密閉状態とした後、さらに何らかの操作をしてカメラの撮影を開始する必要があるため、薬剤挿入後、監査結果が出るまで時間と手間がかかるという問題があった。
そして、大型の監査装置の場合には、一度に１人分の調剤された薬剤全て（複数種類の薬剤）を監査装置に挿入して監査が行われているが、このような監査装置は大型で重量が重く、持ち運びが大変であった。
【０００５】
このように調剤された薬剤全てを同時に挿入して監査する方法は、処理時間の短縮が図られ効率的とも考えられる。
しかしながら、監査装置に入れる薬剤の種類や個数が多いと、まず第一に、カメラでの撮影に支障がないように薬剤同士が重ならないように並べる必要がある。そして、次に監査担当者（以下、「監査者」という）が監査装置に入れる際に、それらの薬剤を逐一目視して薬品名等を確認することは煩雑であり事実上不可能である。したがって、監査装置に何らかの誤作動があった場合には、処方箋の内容と一致しない薬剤が提供されるおそれがある。
【先行技術文献】
【特許文献】
【０００６】
【特許文献１】特開２００２−２７２８１４号公報
【非特許文献】
【０００７】
【非特許文献１】オークラ情報システム株式会社がインターネットアドレス「http://www.ois92.co.jp/seihinn/jouzai/jyokan.pdf」にて掲載した複数同時画像照合システム（監査レンジ）
【考案の概要】
【考案が解決しようとする課題】
【０００８】
解決しようとする問題点は、従来の監査装置においては、密閉状態で薬剤の撮影が行われるため監査の迅速性に欠けるという点、及び監査装置が大きく重量があるため持ち運びが大変である点である。そして、薬剤の監査をする際、多くの種類の薬剤が多数同時に挿入されることになるため、薬剤を整理整頓して並べる必要がある点、及び監査者の目視による薬剤の確認ができず、監査装置の誤作動によって生じる判断ミスを防止できない点も問題であった。
【課題を解決するための手段】
【０００９】
本考案は、一種類の薬剤毎に監査を行えるようにした小型で簡易な薬剤監査装置であって、薬剤を監査装置本体内に挿入し載置すれば、特別な操作をすることなく自動的かつ迅速に監査結果が得られるものを提供する。すなわち、監査装置本体の前面に開口部を設け、監査装置本体内の計重器からの重量信号によりカメラによる撮影を開始することを最も主要な特徴とする。
また、薬剤の画像撮影時に開口部からの光量の変化によっても鮮明な画像を撮影するために吸光シートを載置板及び床に付加することを特徴とする。なお、吸光シートとは、光の反射率が低く光の大部分を吸収するシートであり、可視光の範囲で光の反射率が５パーセント未満のものをいう。
【考案の効果】
【００１０】
本考案に係る薬剤監査装置は、小型の監査装置本体に開口部が設けられており、監査者が当該患者の処方箋に基づき調剤された複数の種類の薬剤のうち、一種類毎の薬剤を監査装置本体に挿入して載置板に載せることにより、載置板の下部に設置された計重器が薬剤の総重量を検出しその検出値（重量信号）がパソコンに送信されると、カメラの撮影を開始する制御がなされるので、薬剤挿入後何らの操作を要せず自動的かつ迅速に監査が行われる。
そして、一種類毎の薬剤につき監査を行うので、同時に複数の薬剤の監査を行う際に必要な調合された薬剤を整理整頓する必要がない。また、一種類の薬剤の監査の直前、直後に監査者が薬剤の名称を容易に確認することができる。したがって僅かな労力により薬剤監査装置の誤作動による判断ミスを防止できる。
また、監査装置本体及び同本体の床に付加された吸光シートは外部からの光によるハレーションを抑える構造になっているため、薬剤の撮影時に開口部が存在したとしても鮮明度をある程度維持した写真が撮影されるため、画像認識判断に不都合は生じない。
【図面の簡単な説明】
【００１１】
【図１】本考案に係る薬剤監査装置２０を適用した薬剤監査システムの概略の構成を示す図である。
【図２】本考案に係る監査装置本体３０の構成を示す図である。
【図３】本考案に係る薬剤監査装置を用いて監査を行っている状況を示す図である。
【考案を実施するための形態】
【００１２】
最初に本考案を適用した薬剤監査システムの構成を図１に基づいて説明する。図１に示すように、この薬剤監査システム１００は、監査装置本体３０とパソコン４０からなる薬剤監査装置２０とレセプトコンピュータ１０とにより構成されており、レセプトコンピュータ１０と薬剤監査装置２０のパソコン４０とはランケーブルで接続されている。なお、ランケーブルに替えて無線により接続してもよい。
【００１３】
レセプトコンピュータ１０は、調剤薬局における窓口業務で用いられる端末であり薬局を訪問する患者が持参した処方箋Ａに記載された患者名、薬剤名、分量、使用方法などの処方箋データを入力し、そのデータをメモリに記憶する。  
薬剤監査装置２０のパソコン４０の記憶手段には監査処理プログラムが記憶されており、同プログラムを起動して予め処方箋データをレセプトコンピュータ１０からパソコン４０の記憶手段に取り込んで記憶しておく。
このような処方箋データは、監査処理プログラムを起動させた上で、一覧表示の指示をすれば、パソコン４０の画面上に患者名毎に一覧表示される。
【００１４】
一方薬局を訪れた患者より処方箋を受け取った薬剤師は薬剤収納庫より処方箋に記載された各種の薬剤を必要量だけピッキングして患者１人毎に一つのトレー５０に入れる（図１、及び図３参照のこと）。
その後、患者毎に各トレー５０内の薬剤（例えばＢ、Ｃ、Ｄ）のうち、一種類ずつが監査装置本体の開口部から内部の載置板３３の上に載せられ、撮影されることにより、薬剤監査装置２０が薬剤の名称と薬剤の個数（薬剤の個数は薬剤の総重量を計重器で検出し、その値及び予め登録された当該薬剤の一個の重量から判別する。）を判別する。
すなわち、パソコン４０の監査用画面右側に撮影された薬剤の写真が表示され、薬剤の名称、分量（個数）が処方箋データと一致すれば、同画面左側に表示された処方箋データの薬剤毎に「ＯＫ」の表示が出る。そして全ての種類の薬剤につき「ＯＫ」の表示が出れば、監査終了の表示がなされ監査が終了する。なお、被監査物（薬剤）が処方箋指定の薬剤と異なる場合、または薬剤名は一致するが分量が異なる場合には、エラーメッセージが出るので、再度の監査を行う。
【実施例１】
【００１５】
図1及び図３に示すように監査装置本体３０は立法体の外観を示す筐体であって、各辺の長さはそれぞれ３００ミリメートルである。監査装置本体３０の前面には、縦１１０ミリメートル、横２４７ミリメートルの開口部が設けられており、カメラによる撮影時においても開口されたままである。
【００１６】図２は、本考案に係る薬剤監査装置２０の監査装置本体３０の構成を示す図（断面図）である。監査装置本体３０内部には、薬剤を載せる載置板３３とその下に薬剤の総重量を検出する計量器３４が床３６上に固定されている。また載置板の上面及び床面には吸光シート３５が貼付されている。本実施例には、吸光シートとしてモスアイ型無反射フィルム（三菱レイヨン株式会社製）が用いられている。そのため、筺体上部に設置された照明具３１の照明により同じく上部に設置されたカメラで薬剤を撮影する際、開口部からの光量如何にかかわらずハレーションを起こさず鮮明な画像の撮影が可能である。なお、モスアイ型無反射フィルムに替えて黒色無反射ラシャ紙（公序良俗違反につき、不掲載）などを用いてもよい。【００１７】
監査を開始するには、まずパソコン４０上で薬剤監査を行う監査処理プログラムを起動する。そして、画面上の患者一覧表示の中から該当患者欄をマウスでクリックすると監査画面が表示され、当該患者の処方箋データに基づき薬剤の名称、個数等が例えば薬剤Ｂ、Ｃ、Ｄの順に一覧表示される。
【００１８】
図３は、監査者が一つのトレー５０に入ったある患者の調合された薬剤を実際に監査する際の様子を示したものである。図３に示すようにトレー５０に三種類の薬剤（Ｂ、Ｃ、Ｄ）が入れられている場合、監査者６０は一種類の薬剤Ｂ（錠剤の個数の制限はない。）をトレー５０から取り上げ監査装置本体３０の載置板３３の上に載置する。そうすると、計重器３４がその重量の検出を開始し、重量が安定した時点で重量信号をパソコン４０の制御手段に送信し、制御手段がカメラ３２の撮影を開始する（なお、照明は監査開始前からなされている。）。  
すなわち、カメラ３２が載置板に置かれた薬剤を撮影し薬剤の名称を判読する。薬剤の個数は予め記憶されている当該薬剤の一個の重量と計量器３４により検出された薬剤の総重量より算出される。そして、パソコン４０の画面上に表示された処方箋データに基づく薬剤の名称、数量等と対比され、合致していればパソコンの画面上に「ＯＫ」の表示がでる。薬剤を載置板に載置してから判定結果が表示されるまでの時間は約１秒である。
【００１９】
以上のとおり、監査者はトレー５０から薬剤Ｂ、薬剤Ｃ、薬剤Ｄの順で順次一種類の薬剤毎に監査装置本体３０内の載置板３３上に載せることにより調合された薬剤が処方箋の内容と合致しているか否かを監査することができる。
なお、薬剤を監査する順序はパソコン４０の画面上に表示された薬剤の順序との関連性はないので、どのような順序で薬剤を選択しても監査を行う上で支障はない。
そして、一種類の薬剤をトレーから取り出して載置板に載せる際、あるいは載置板から薬剤を取り出し別のトレーに入れる際に薬剤の表面または裏面に記載された薬剤の名称を目で見て確認することができる。
そのため、万一薬剤監査装置に誤作動があった際にもそれを判断できる。
【産業上の利用可能性】
【００２０】
本考案に係る薬剤監査装置は、小型で簡易な取り扱いにより調合された薬剤の監査を行うことができるので、中小規模の調剤薬局において利用される。
【符号の説明】
【００２１】
１００  薬剤監査システム  
１０  レセプトコンピュータ
２０  薬剤監査装置
３０  監査装置本体
３１  照明具
３２  カメラ
３３  載置板
３４  計重器
３５  吸光シート
３６  床
４０  パソコン
５０  トレー
６０  監査者
Ａ  処方箋
Ｂ〜Ｄ  被監査物（薬剤）
【図１】
0003186063.tif 000003
【図２】
0003186063.tif 000004
【図３】
0003186063.tif 000005
【手続補正書】
【提出日】平成25年7月23日(2013.7.23)
【手続補正１】
【補正対象書類名】明細書
【補正対象項目名】００１６
【補正方法】変更
【補正の内容】
【００１６】
図２は、本考案に係る薬剤監査装置２０の監査装置本体３０の構成を示す図（断面図）である。監査装置本体３０内部には、薬剤を載せる載置板３３とその下に薬剤の総重量を検出する計量器３４が床３６上に固定されている。また載置板の上面及び床面には吸光シート３５が貼付されている。本実施例には、吸光シートとしてモスアイ型無反射フィルム（三菱レイヨン株式会社製）が用いられている。そのため、筺体上部に設置された照明具３１の照明により同じく上部に設置されたカメラで薬剤を撮影する際、開口部からの光量如何にかかわらずハレーションを起こさず鮮明な画像の撮影が可能である。
なお、モスアイ型無反射フィルムに替えて黒色無反射ラシャ紙などを用いてもよい。